(57)【要約】【課題】製品が収容された箱体の上部に袋固定手段を挿嵌することにより箱体の上部に掛け止めされた防水袋を側板に密着させて内部の水が漏出しないようにする。【解決手段】有底四角枠形状の箱体と、該箱体内に収容されると共に上部縁が箱体の上端にて折り返されて外面に沿って垂下する防水袋と、箱体の内面に沿って垂下する内側壁及び外面に沿って垂下する外側壁を有して箱体の上部開口を覆い、箱体の上部に係止された防水袋の上縁を挟持可能にした袋固定手段とから収容箱を構成する。【選択図】        図１
2005053536.tif 000002
【特許請求の範囲】
【請求項１】
有底四角枠形状の箱体と、該箱体内に収容されると共に上部縁が箱体の上端にて折り返されて外面に沿って垂下する防水袋と、箱体の内面に沿って垂下する内側壁及び外面に沿って垂下する外側壁を有して箱体の上部開口を覆い、箱体の上部に係止された防水袋の上縁を挟持する袋固定手段とからなる収容箱。
【請求項２】
請求項１の箱体は、有底四角枠形状で、各側板の上部に内側水平方向へ所定の幅で延出する頂面部及び垂下部を有し、箱体との間に空気層を形成可能な外箱内に挿嵌した収容箱。
【請求項３】
請求項１の袋固定手段は、少なくとも箱体の上面開口を覆う大きさの平面板の各側縁に所定の高さで起立した後に側板上端を乗り越えて垂下する外側垂下部を有した収容箱。
【請求項４】
請求項３は、袋固定手段における外側垂下部の下部に上方に湾曲する湾曲部を設けた収容箱。
【請求項５】
請求項４の収容箱は、防水袋の上部が掛け止めされた箱体の上部に挿嵌された際に、湾曲部に当接して外側垂下部を側板側へ押圧して防水袋を側板に密着させる補強手段を設けた収容箱。
【請求項６】
請求項３の収容箱は、防水袋の上部が掛け止めされた箱体の上部に挿嵌された際に、外側垂下部を押圧して防水袋を側板に密着させる補強手段を設けた収容箱。
【発明の詳細な説明】
【技術分野】
【０００１】
本発明は、例えば魚介類等の水産物のように水分を含んだ水含有製品を収容するのに適した収容箱に関する。
【背景技術】
【０００２】
上記した水産物等のような水含有製品を輸送するのに使用する収容箱としては、段ボール紙やクラフト紙等の紙材により形成される箱体内に合成樹脂製の防水袋を装着し、該防水袋内に水含有製品を収容している。そして防水袋内に水含有製品を収容した後、該防水袋の上部縁を束ねて緊締したり、熱シール加工したりして輸送途中に防水袋内の水が外部へ漏出しないようにしている。
【０００３】
しかし、上記作業は、箱体内にセットされた防水袋内への製品収容作業とは別に防水袋を結束したり、熱シール加工したりしなければならず、製品梱包作業に多くの手間と時間がかかり、作業効率が極めて悪かった。
【特許文献１】特開２００１−１８９５１号公報
【発明の開示】
【発明が解決しようとする課題】
【０００４】
解決しようとする問題点は、箱体内に装着された防水袋内に収容された製品からの水が外部に漏れ出すのを防止するには、収容作業後に防水袋の上部を結束したり、熱シール加工しなければならず、収容作業性が悪い点である。
【課題を解決するための手段】
【０００５】
本発明は、製品が収容された箱体の上部に袋固定手段を挿嵌することにより箱体の上部に掛け止めされた防水袋を側板に密着させて内部の水が漏出しないようにすることを特徴とする。
【発明の効果】
【０００６】
本発明は、防水袋の上部が掛け止めされた箱体に対して袋固定手段を挿嵌するという簡易な作業により内部の水が漏出するのを防止することができる。
【発明を実施するための最良の形態】
【０００７】
本発明は、有底四角枠形状の箱体と、該箱体内に収容されると共に上部縁が箱体の上端にて折り返されて外面に沿って垂下する防水袋と、箱体の内面に沿って垂下する内側壁及び外面に沿って垂下する外側壁を有して箱体の上部開口を覆い、箱体の上部に係止された防水袋の上縁を挟持する袋固定手段とから実現した。
【実施例１】
【０００８】
以下に実施形態を示す図に従って本発明を説明する。
図１〜図３において、収容箱１の箱体３は、例えば段ボール紙や厚手状のクラフト紙等の紙材からなり、相対する各一対の側板３ａ・３ｂの下部に設けられた底板３ｃ・３ｄを重ね合わせた有底四角枠形状に形成される。該箱体３の側板３ａ・３ｂは所定の厚さからなる。
【０００９】
上記箱体３は外箱５内に、その上部縁が突出するように挿嵌される。該外箱５は相対する各一対の側板５ａ・５ｂの上部に、水平方向内方に延出する頂面板５ｃ・５ｄ及び該頂面板５ｃ・５ｄの内縁にて垂下する垂下板５ｅ・５ｆを一体に設けた有底四角枠形状に形成される。そして箱体３は外箱５内に対し、相対する垂下板５ｅ・５ｆに沿って挿嵌される。
【００１０】
上記外箱５における側板５ａ・５ｂの下部には底板５ｇ・５ｈが一体に設けられ、これら底板５ｇ・５ｈを重ね合わせた状態で接着することにより外箱５の下面開口を閉鎖する底構造になっている。また、外箱５内に箱体３を挿嵌した際に、箱体３の側板３ａ・３ｂと外箱５の側板５ａ・５ｂとの間に頂面板５ｃ・５ｄの延出幅に一致する空気層７ａ・７ｂを形成して箱体３を断熱収容している。
【００１１】
箱体３内には防水袋９が装着される。該防水袋９は、例えばポリプロピレン樹脂、ポリエチレン樹脂等のように防水性を有した公知の合成樹脂からなり、箱体３内に対し、防水袋９の本体部を側板３ａ・３ｂ内面に沿うように挿入した後に、開口上部縁を側板３ａ・３ｂの外面に沿うように折り返して側板３ａ・３ｂの上部縁に掛止めしている。これにより箱体３内に装着された防水袋９内には箱体３の大きさに応じた収容空間１１が形成される。
【００１２】
防水袋９が装着された箱体３の上部には袋固定手段としての袋固定体１３が取付けられる。該袋固定体１３は、例えば防水性を有したケナフ繊維や葦繊維等の木質繊維、紙繊維或いは発泡樹脂、合成樹脂シート等を後述する形状に成形したもので、箱体３の上面開口とほぼ一致する大きさの上面板１３ａの各側縁には内側起立壁１３ｂが連続して一体に設けられると共に内側起立壁１３ｂの上部には箱体３の側板３ａ・３ｂ上部を跨いで外面に沿って垂下する外側垂下壁１３ｃが連続して一体に設けられている。
【００１３】
該外側垂下壁１３ｃの下部は外側へ膨出して上方に起立する湾曲部１３ｄを有している。そして内側起立壁１３ｂと外側垂下壁１３ｃの相互間隔は、その上部が側板３ａ・３ｂの厚さより広い幅で、下部が側板３ａ・３ｂの厚さより若干狭くなるように形成される。尚、収容箱１が大型化した場合には、箱体3の上部に挿嵌される袋固定体１３の上面板１３ａ自体が大面積化して撓みやすくなり、防水袋９の上部を強固に挟持させることが困難になる。これを防止するため、大型化した場合にあっては、上面板１３ａに複数条のリブを形成して平面性を保つようにすればよい。
【００１４】
該袋固定体１３は箱体３に装着された防水袋９内に所望の製品を収容した後に箱体３上部に挿嵌することにより、内側起立壁１３ｂ及び外側垂下壁１３ｃにより側板３ａ・３ｂの上部に折り返して掛止めされた防水袋９を挟圧して固定させる。
【００１５】
箱体３に装着された袋固定体１３には補強蓋体１５が挿嵌される。該補強蓋体１５は外側垂下壁１３ｃに沿って垂下する垂下部１５ａ及び袋固定体１３の上面全体を覆う上面板１５ｂを一体に形成した四角枠形状で、段ボール紙や厚手状のクラフト紙等により形成される。この補強蓋体１５は袋固定体１３に挿嵌された際に外側垂下壁１３ｃの湾曲部１３ｄに当接して外側垂下壁１３ｃを内側へ押圧することにより防水袋９の挟持状態を保って側板３ａ・３ｂに密着させる。
【００１６】
次に、収容箱１の作用を説明する。
外箱５内に箱体３を挿嵌した状態で該箱体３内に防水袋９を、その上部縁が側板３ａ・３ｂに係止可能な幅で突出した状態で装着する。そして防水袋９内に所望の製品を収容した後に防水袋９の上部縁を外側へ折り返し、この状態で箱体３の上部に袋固定体１３を挿嵌させる。
【００１７】
このとき、袋固定体１３における内側起立壁１３ｂ及び外側垂下壁１３ｃの間隔が上部で広く、下部で狭く形成されて外側垂下壁１３ｃ自体が外側へ弾性変形するように形成されているため、袋固定体１３の挿嵌時には外側垂下壁１３ｃが容易に弾性変形して挿嵌作業を簡易に行うことができ、挿嵌後においては外側垂下壁１３ｃの弾性力により防水袋９を挟圧して側板３ａ・３ｂに密着させる。（図４参照）
【００１８】
次に、上記状態で袋固定体１３に対して補強蓋体１５を挿嵌すると、その垂下部１５ａの内面に当接する湾曲部１３ｄを介して外側垂下壁１３ｃを内側へ押し付けて内側起立壁１３ｂ及び外側垂下壁１３ｃによる防水袋９の挟持状態を強固にして側板３ａ・３ｂの上部に密着させる。これにより収容箱１が転倒した際に、製品からしみ出して防水袋９内に溜まっている水分が外に漏れ出すのを防止することができる。（図５参照）
【００１９】
また、外箱５と箱体３との間には空気層７ａ・７ｂが設けられるため、収容箱１は防水袋９内に収容された製品を断熱収容することができる。
【実施例２】
【００２０】
図６において、実施例１の袋固定体１３における外側垂下壁１３ｃの下部に湾曲部１３ｄを一体に設ける構成としたのに対し、本実施例は外側垂下壁１３ｃの下部に頂面板５ｃ・５ｄの幅で水平方向へ延出する平面板１３ｅを設ける構成とする。また、これに対応して補強蓋体１５の垂下部１５ａの下部に頂面板５ｃ・５ｄの幅で水平方向内側へ延出する平面板１５ｃ及び外側垂下壁１３ｃの外面に沿って起立する起立部１５ｃを設ける。
【００２１】
そして防水袋９が掛け止めされた箱体３における側板３ａ・３ｂの上部に挿嵌された袋固定体１３に補強蓋体１５を挿嵌した際に、起立部１５ｃにより外側垂下壁１３ｃを押圧して防水袋９の上部を側板３ａ・３ｂの上部に密着させて防水性を高める。
【００２２】
実施例２においては、袋固定体１３に、外箱５の頂面板５ｃ・５ｄ上面に位置する平面板１３ｅを設ける構成としたが、外側垂下壁１３ｃのみとし、これを設けなくてもよい。
【００２３】
実施例１及び２においては、箱体３及び外箱５の底構造をそれぞれの側板に設けられた底板を重ね合わせて有底構造としたが、箱体３及び外箱５の底構造に付いては、これに限定されるものではなく、従来公知の各種底構造であっても実施可能である。特に外箱に付いては、図７に示すように長方形状の紙材７１を折り畳んで底板７１ａ、相対する各一対の側板７１ｂ・７１ｃを有し、切れ目のない箱構造としてもよいことは勿論である。この場合にあっては、紙材７１における各隅部で三角形状に折畳まれて重ね合わされた隅板７１ｄを側板７１ｂ・７１ｃの内側に重ね合わせることにより挿嵌される箱体３との間に隅板７１ｄの厚さ（紙材２枚分）に応じた間隙を形成することができる。
【００２４】
また、実施例１及び２の外箱における各側板の上部に少なくとも頂面板５ｃ・５ｄを有した構造としたが、頂面板５ｃ・５ｄを設けずに各側板５ａ・５ｂの上部を内側へ折り返し、箱体における側板外面との間に折り返された側板の厚さに応じた間隔の空気層を設ける構成としてもよい。
【図面の簡単な説明】
【００２５】
【図１】収容箱の分解斜視図である。
【図２】図１のＡ−Ａに対応する収容箱の縦断面図である。
【図３】図１のＢ−Ｂ線縦断面図である。
【図４】箱体に袋固定体を取り付けた状態を示す断面図である。
【図５】補強蓋体による押圧状態を示す説明図である。
【図６】実施例２の説明図である。
【図７】外箱の変更例を示す説明図である。
【符号の説明】
【００２６】
１−収容箱、３−箱体、５−外箱、９−防水袋、１３−袋固定体、１５−補強蓋体
【図１】
2005053536.tif 000003
【図２】
2005053536.tif 000004
【図３】
2005053536.tif 000005
【図４】
2005053536.tif 000006
【図５】
2005053536.tif 000007
【図６】
2005053536.tif 000008
【図７】
2005053536.tif 000009